(57)【要約】      （修正有）【課題】従来のバインダークリップで書類を挟む場合は書類の左上を上又は横からバインダークリップで挟むが、ファイル等に綴じていない書類をめくる場合、通常は左斜め上にめくって、めくっていない書類の下に重ねて保持する。この時、めくった頁の用紙がバインダークリップを横に押す形になり、バインダークリップがずれやすく、バラけやすかった。また、左斜め上から斜めにバインダークリップで挟もうとしても書類の角がバインダークリップの背板に当たり、書類を少ししか挟めず、より一層バラけやすかった。【解決手段】バインダークリップの背板に穴を明け、この穴に書類の角を入れることにより書類の左斜め上からバインダークリップで挟んでも書類を多くしっかりと挟めるようにし、書類をめくって保持してもバラけ難くする。【選択図】図−１
2006137171.tif 000002
【特許請求の範囲】
【請求項１】
複数枚の書類等を挟む、主に書類を挟む部分、これを繋ぐ部分（以下背板と呼ぶ）、書類を挟む部分を広げる際に指で挟む金具からなる公知のバインダークリップにおいて、背板の中央に穴を明け、書類を斜めに挟む際にこの穴に書類の角を差し込むことにより、書類の頁を斜め上にめくっても保持しやすく、書類がバラけ難くしたバインダークリップ。
【請求項２】
請求項１に示すバインダークリップにおいて書類を斜めに挟んだ場合に書類からはみ出る部分を、背板は穴の幅で両端を折り曲げて角度をつけ、書類を挟む部分は幅を狭くして背板の穴と同じ幅にすることにより書類の端面に沿うようにしたバインダークリップ。
【発明の詳細な説明】
【技術分野】
【０００１】  本発明はバインダークリップの形状及び機能に関する。
【背景技術】
【０００２】  従来のバインダークリップで書類を挟む場合、通常は書類の側面か上部を、バインダークリップの背板が書類の端面と平行になるように挟む。
【発明の開示】
【発明が解決しようとする課題】
【０００３】  ファイルやバインダー等に閉じ込んでいない書類をクリップ等で挟む場合、通常は左上を挟み、ページをめくる場合、この部分を中心にして左斜め上にめくるが、従来のバインダークリップで書類の側面か上部を挟んでいる場合、めくった書類がバインダークリプを横に押し、めくった書類を保持しにくく、バラけやすい。【０００４】  また、書類の左斜め上から斜めにバインダークリップで挟もうとしても書類の角がバインダークリップの背板に当たり書類を深く挟めず、書類の保持が一層困難でバラけやすい。
【課題を解決するための手段】
【０００５】  バインダークリップの背板中央に書類の角が入る程度の大きさの穴を明ける。（図−１）、【０００６】  請求項２においてはさらに、背板は穴の幅で折り曲げて４５°に角度を付け、書類を挟む部分は背板の穴の幅と同じか又はこれより狭くする。（図−３）
【実施例及び発明の効果】
【０００７】  本発明の請求項１のクリップの実施の形態を図−１に示す。
【０００８】  このバインダークリップで書類を斜め上から斜めに挟む場合、書類の角をこの穴に差し込むことができ（図−２）、従来のものより書類を多くしっかりと挟め、書類を斜め上にめくっても保持しやすく、バラけ難い。
【０００９】  また、書類がバインダークリップの穴に接するようにバインダークリップで挟んだ場合、バインダークリップの先端の部分だけでなく、背板の穴でも書類のズレを抑制するため、従来のバインダークリップより書類がズレ難く、バラけ難い。
【００１０】  このバインダークリップで従来のように書類を側面又は上から挟む場合にも何ら支障なく挟め、使用者の好みによる使い分けが可能である。
【００１１】  また、請求項２のクリップの実施の形態を図−３に示す。
【００１２】  請求項−１のクリップで背板の穴に書類の角を差し込んで書類を斜めに挟むと書類の上方や側方にバインダークリップの一部が出て、そのままファイル等に綴じる際に支障が予想されるが、請求項−２のクリップでは背板は折り曲げて書類の端面に沿うようにし、挟む部分はカットしているため、書類の端面からバインダークリップの板厚分しか出ず、そのままファイル等に綴じる場合も支障がない。
【００１３】  このクリップで背板の穴に接するように書類を斜めに挟んだ場合は背板の両端の折り曲げた部分も書類の端面に接し（図−４）、書類のズレを抑制するため、書類が一層ズレにくく、バラけ難い。
【図−１】
2006137171.tif 000003
【図−２】
2006137171.tif 000004
【図−３】
2006137171.tif 000005
【図−４】
2006137171.tif 000006
【手続補正書】
【提出日】平成17年2月16日(2005.2.16)
【手続補正１】
【補正対象書類名】特許請求の範囲
【補正対象項目名】全文
【補正方法】変更
【補正の内容】
【特許請求の範囲】
【請求項１】
複数枚の書類等を挟む、二枚の書類を挟む部分、これを繋ぐ部分（以下背板と呼ぶ）、指で挟む金具及びこの金具と本体を連結する取付け部からなる公知のバインダークリップにおいて、背板に書類の角を差し込む穴を明け、かつ、指で挟む金具の本体への取付け部を背板に対して４５度に傾け、背板と直交する方向と平行になる方向に９０度起倒するようにしたバインダークリップ。
【請求項２】
請求項１に示すバインダークリップにおいて背板の両端を穴の幅で４５度に折り曲げ、書類の角を斜めに挟んだ場合に書類上からはみ出る背板の端部を書類の端面に沿うようにしたバインダークリップ。
【手続補正２】
【補正対象書類名】明細書
【補正対象項目名】全文
【補正方法】変更
【補正の内容】
【発明の詳細な説明】
【技術分野】
【０００１】本発明はバインダークリップの形状及び機能に関する。
【背景技術】
【０００２】従来この種のバインダークリップで書類を挟む場合は書類の側面を横から、あるいは左上部を上から、バインダークリップの背板が書類の端面と平行になるように挟む。
【発明の開示】
【発明が解決しようとする課題】
【０００３】ファイル等に綴じていない書類をめくる場合、通常は左上にめくり、めくったページを書類の下に持って行って下から重ねて持つが、従来の方法で書類を挟んだ場合、めくった書類がバインダークリプを横に押し、バインダークリップがズレやすく、また、書類をしっかり挟むためには角から少し離れたところを挟まねばならず、そうすると書類のめくれない部分が大きく、不便である。【０００４】また、書類を斜めにめくりやすく挟むためにはバインダークリップで書類の左上の角を斜めに挟むことが望ましいが、従来のバインダークリップでは書類を挟む部分の奥行きが浅いため、このように挟むと書類の角が背板に当たり、書類を深く挟めず書類がバラけやすい。【０００５】また、手で挟む金具を書類側に倒していても書類をめくると書類が金物を押し上げて書類をめくる方向に起こし、金物が書類と接触して書類を保持しにくい。【０００６】本発明は書類を斜め上にめくる場合のこれらの問題を解決し、書類を保持しやすく、バラけにくいバインダークリップを提供することを目的とする。
【課題を解決するための手段】
【０００７】バインダークリップの背板に穴を明け、書類の角をこの穴に挿入して書類を挟むとともに、手で挟む金具の本体への取付け部を背板に対して４５度傾け、金具は背板と直交する方向と平行になる方向に９０度起倒するように取付ける。【０００８】このバインダークリップで書類の左上から斜めに書類を挟み込み、書類の左上の角を背板の穴に挿入して挟み、手で挟む金具を背板と平行になる方向に倒す。【０００９】請求項２においてはさらに、背板を穴の幅で４５度に折り曲げ、書類を穴一杯に挿入した場合に背板の折り曲げた部分が書類の端面に接するようにし、書類を挟む部分と背板との接続部は背板の穴の幅と同じか又はこれより狭くすることで書類を挟む部分と背板を直線的に接続し、書類を挟む部分の開閉を容易にする。
【発明を実施するための最良の形態】
【００１０】本発明の請求項１のバインダークリップの実施の形態を図１及び図２に基づいて説明する。【００１１】書類を挟む部分である二枚の▲１▼側板、これを連結する▲２▼背板、▲１▼側板を開閉する際に指で挟む▲３▼金具、▲１▼側板と▲３▼金具を連結する▲４▼取付け部からなるバインダークリップにおいて、▲２▼背板の中央に書類の角を挿入する穴を明け、さらに▲４▼取付け部を▲２▼背板に対して４５度傾け、▲３▼金具が▲２▼背板と直交する方向と平行になる方向に９０度起倒するようにする。【００１２】本バインダークリップで書類を斜め上から挟み、▲２▼背板の穴に書類の左上の角が最も深く入るようにし、▲３▼金具を背板と平行になる方向に倒す。【００１３】書類を左上にめくって折り返し、他の書類の下に持って行ってもバインダークリップで挟む部分が少ないため書類を大きくめくれ、また、書類が▲３▼金具に接触しないので保持しやすくバラけ難い。【００１４】また、書類を固定する機能においても、従来のバインダークリップと同様に▲１▼側板で挟む他に、▲２▼背板の穴で書類と接し、書類のズレを抑制するため、従来のバインダークリップより書類がズレ難く、バラけ難い。【００１５】本バインダークリップで従来のように書類を側面又は上から挟む場合にも何ら支障なく挟むことができる。【００１６】また、請求項２のクリップの実施の形態を図３及び図４に基づいて説明する。【００１７】請求項１のクリップで背板の穴に書類の角を差し込んで書類を斜めに挟むと書類の上方や側方にバインダークリップの▲２▼背板の穴の外側が出て、そのままファイル等に綴じるとバインダークリップの背板の書類の側方に出た部分がファイルの背板に当たり、綴じるのに支障がある。
本バインダークリップで、▲２▼背板の穴に書類の左上の角を挿入して書類を斜め上から挟む。【００１８】▲３▼金具を使用する時は▲２▼背板と直交する方向に起こして使用し、使用しない時は▲２▼背板と平行になる方向に倒しておく。【００１９】また、請求項２のクリップの実施の形態を図３及び図４に基づいて説明する。【００２０】請求項１のクリップで▲２▼背板の穴に書類の角を差し込んで書類を斜めに挟むと書類の上方や側方にバインダークリップの▲２▼背板の穴の外側が出て、そのままファイル等に綴じると書類の側方に出ているバインダークリップの▲２▼背板の端部がファイルの背板に当たり、綴じるのに支障がある。【００２１】そこで請求項２のクリップでは▲２▼背板を穴の幅で４５度折り曲げ、請求項１のバインダークリップで書類を▲２▼背板の穴に挿入して挟んだ場合に書類からはみ出ていた▲２▼背板の端部が書類の端面に沿い、支障なくファイル等に綴じることができるようにした。【００２２】
【図面の簡単な説明】
【００２３】
【図１】請求項１のバインダーの見取り図で金具を起こした状態を二点鎖線で表示
【図２】請求項１のバインダーの正面図
【図３】請求項２のバインダーの見取り図で金具を起こした状態を二点鎖線で表示
【図４】請求項２のバインダーの正面図
【符号の説明】
【００２４】▲１▼  側板
▲２▼  背板
▲３▼  金具
▲４▼  取付け部
【手続補正３】
【補正対象書類名】図面
【補正対象項目名】全図
【補正方法】変更
【補正の内容】
【図１】
2006137171.tif 000007
【図２】
2006137171.tif 000008
【図３】
2006137171.tif 000009
【図４】
2006137171.tif 000010